(57)【特許請求の範囲】
【請求項１】
電子書籍端末と通信可能に接続された電子書籍共有サーバであって、
所定の電子書籍コンテンツを記憶する電子書籍コンテンツ記憶手段と、
前記電子書籍コンテンツに対して付加する付加情報を前記電子書籍端末から受付ける際に、予め過去に前記電子書籍コンテンツの権利者から購入した電子書籍コンテンツの冊数に応じてユーザを複数のグループに分け、当該グループごとに前記権利者が決定した許可操作データに基づいて、ユーザごとに前記付加情報に対する許可操作を決定する許可操作決定手段と、
前記付加情報と、当該付加情報を付加する電子書籍コンテンツのページ位置とを対応付け、タグ付けコンテンツとして前記電子書籍端末にて閲覧可能に記憶するタグ付けコンテンツ記憶手段と、
を備える電子書籍共有サーバ。
【請求項２】
請求項１に記載の電子書籍共有サーバであって、
前記付加情報を付したユーザ識別子を前記電子書籍端末にて出力させるとともに、前記タグ付けコンテンツを、前記電子書籍端末から受信可能に記憶した電子書籍共有サーバ。
【請求項３】
請求項２に記載の電子書籍共有サーバであって、
さらに、前記タグ付けコンテンツの評価を出力して、当該タグ付けコンテンツを、前記電子書籍端末から閲覧可能に記憶した電子書籍共有サーバ。
【請求項４】
前記電子書籍端末は、所定の電子書籍端末からのリンクデータを付加情報として受付け、
前記電子書籍共有サーバの前記許可操作決定手段は、前記許可操作として、前記リンクデータに対するリンクアクセスを電子書籍コンテンツに対応させて所定の位置に出力することを許可する決定をする、請求項１に記載の電子書籍共有サーバ。
【請求項５】
電子書籍端末と通信可能に接続された電子書籍共有サーバが実行する電子書籍共有方法であって、
所定の電子書籍コンテンツを記憶するステップと、
前記電子書籍コンテンツに対して付加する付加情報を前記電子書籍端末から受付ける際に、予め過去に前記電子書籍コンテンツの権利者から購入した電子書籍コンテンツの冊数に応じてユーザを複数のグループに分け、当該グループごとに前記権利者が決定した許可操作データに基づいて、ユーザごとに前記付加情報に対する許可操作を決定するステップと、
前記付加情報と、当該付加情報を付加する電子書籍コンテンツのページ位置とを対応付け、タグ付けコンテンツとして前記電子書籍端末にて閲覧可能に記憶するステップと、
を備える電子書籍共有方法。
【請求項６】
電子書籍端末と通信可能に接続された電子書籍共有サーバに、
所定の電子書籍コンテンツを記憶するステップ、
前記電子書籍コンテンツに対して付加する付加情報を前記電子書籍端末から受付ける際に、予め過去に前記電子書籍コンテンツの権利者から購入した電子書籍コンテンツの冊数に応じてユーザを複数のグループに分け、当該グループごとに前記権利者が決定した許可操作データに基づいて、ユーザごとに前記付加情報に対する許可操作を決定するステップ、
前記付加情報と、当該付加情報を付加する電子書籍コンテンツのページ位置とを対応付け、タグ付けコンテンツとして前記電子書籍端末にて閲覧可能に記憶するステップ、
を実行させるためのコンピュータ読み取り可能な電子書籍共有サーバ用プログラム。
【発明の詳細な説明】
【技術分野】
【０００１】
本発明は、電子書籍サービスを制御する電子書籍共有サーバ、電子書籍共有方法及び、電子書籍共有サーバ用プログラムに関する。
【背景技術】
【０００２】
近年、スマートフォンやタブレットと呼ばれる携帯型端末が普及している。通常、これらの携帯型端末は、所定のアプリケーションをインストールすることで、一般書籍、教科書、漫画、雑誌等の電子書籍が閲覧可能となる。
【０００３】
この電子書籍の所定のページに対して、閲覧ユーザが所定の投稿情報を入力して、共有することが可能となった技術が知られている（例えば、特許文献１）。
【先行技術文献】
【特許文献】
【０００４】
【特許文献１】特開２０１３−１４３０２８号公報
【発明の概要】
【発明が解決しようとする課題】
【０００５】
しかしながら、特許文献１の方法では、投稿されるオリジナルとなる電子書籍の著作権までを考慮したシステムではないために、投稿されたコンテンツ全体を２次利用する場合に、問題が生じる。
【０００６】
例えば、あるユーザが電子書籍のオリジナルを利用して、電子書籍に対する投稿情報を入力したり、電子書籍の一部を複製したり、電子書籍の所定の文章にリンク情報を付けて広告したり、映像のリンクを付与して他のコンテンツを販売する等の行為を行う際には、厳密には、オリジナルの電子書籍の著作権者に許可を得ることが必要となる。
【０００７】
本発明は、この課題に鑑み、電子書籍の著作権者が予め許可した、電子書籍に対する利用行為に応じて、ユーザに当該電子書籍の２次利用を可能にした電子書籍共有サーバ、電子書籍共有方法及び、電子書籍共有サーバ用プログラムを提供することを目的とする。
【課題を解決するための手段】
【０００８】
本発明では、以下のような解決手段を提供する。
【０００９】
第１の特徴に係る発明は、電子書籍端末と通信可能に接続された電子書籍共有サーバであって、
所定の電子書籍コンテンツを記憶する電子書籍コンテンツ記憶手段と、
前記電子書籍コンテンツに対して付加する付加情報を前記電子書籍端末から受付ける際に、予め過去に前記電子書籍コンテンツの権利者から購入した電子書籍コンテンツの冊数に応じてユーザを複数のグループに分け、当該グループごとに前記権利者が決定した許可操作データに基づいて、ユーザごとに前記付加情報に対する許可操作を決定する許可操作決定手段と、
前記付加情報と、当該付加情報を付加する電子書籍コンテンツのページ位置とを対応付け、タグ付けコンテンツとして前記電子書籍端末にて閲覧可能に記憶するタグ付けコンテンツ記憶手段と、を備える電子書籍共有サーバを提供する。
【００１０】
第１の特徴に係る発明によれば、電子書籍端末と通信可能に接続された電子書籍共有サーバは、所定の電子書籍コンテンツを記憶し、電子書籍コンテンツに対して付加する付加情報を電子書籍端末から受付ける際に、予め過去に前記電子書籍コンテンツの権利者から購入した電子書籍コンテンツの冊数に応じてユーザを複数のグループに分け、当該グループごとに前記権利者が決定した許可操作データに基づいて、ユーザごとに付加情報に対する許可操作を決定し、付加情報と、当該付加情報を付加する電子書籍コンテンツのページ位置とを対応付け、タグ付けコンテンツとして電子書籍端末にて閲覧可能に記憶する。
【００１１】
ここで、第１の特徴に係る発明はサーバのカテゴリであるが、方法等の他のカテゴリにおいても、そのカテゴリに応じた同様の作用・効果を発揮する。
【００１２】
第２の特徴に係る発明は、第１の特許に係る電子書籍共有サーバであって、
前記付加情報を付したユーザ識別子を前記電子書籍端末にて出力させるとともに、前記タグ付けコンテンツを、前記電子書籍端末から受信可能に記憶した電子書籍共有サーバを提供する。
【００１３】
第３の特徴に係る発明は、第２の特許に係る電子書籍共有サーバであって、
さらに、前記タグ付けコンテンツの評価を出力して、当該タグ付けコンテンツを、前記電子書籍端末から閲覧可能に記憶した電子書籍共有サーバを提供する。
【００１４】
第４の特徴に係る発明は、第１の特許に係る電子書籍共有サーバであって、
前記電子書籍端末は、所定の電子書籍端末からのリンクデータを付加情報として受付け、
前記電子書籍共有サーバの前記許可操作決定手段は、前記許可操作として、前記リンクデータに対するリンクアクセスを電子書籍コンテンツに対応させて所定の位置に出力することを許可する決定をする電子書籍共有サーバを提供する。
【発明の効果】
【００１５】
本発明によれば、電子書籍の著作権者が予め許可した、電子書籍に対する利用行為に応じて、ユーザに当該電子書籍の２次利用を可能にする。
【図面の簡単な説明】
【００１６】
【図１】図１は、電子書籍共有システム１の全体構成図である。
【図２】図２は、電子書籍端末１０、電子書籍共有サーバ２００の機能ブロック図である。
【図３】図３は、電子書籍端末１０、電子書籍共有サーバ２００が実行する電子書籍共有処理のフローチャートである。
【図４】図４は、付加情報の許可操作テーブルの一例を示したテーブル図である。
【図５】図５は、付加情報の許可操作テーブル（グループ毎）の一例を示したテーブル図である。
【図６】図６は、２次利用の許可操作テーブルの一例を示したテーブル図である。
【図７】図７は、電子書籍端末１０に表示されたストアの画面イメージ例である。
【図８】図８は、電子書籍端末１０に表示された電子書籍コンテンツと販売リンクを出力した際の画面イメージ例である。
【図９】図９は、電子書籍端末１０に表示された電子書籍コンテンツと、複数の電子書籍端末１０から入力された付加情報を出力した際の画面イメージ例である。
【発明を実施するための形態】
【００１７】
以下、本発明を実施するための最良の形態について図を参照しながら説明する。なお、これはあくまでも一例であって、本発明の技術的範囲はこれに限られるものではない。
【００１８】
［電子書籍共有システム１のシステム構成］
図１は、本発明の好適な実施形態である電子書籍共有システム１のシステム構成図である。電子書籍共有システム１は、電子書籍端末１０ａ、ｂ（以下、単に１０とする）、電子書籍共有サーバ２００、及び、これらの機器を接続する公衆回線網３（インターネット網や第３世代、第４世代通信網など）から構成される。
【００１９】
電子書籍端末１０は、後述の機能を備え、データ通信を行うことが可能であり、家庭用又は業務用の電化製品である。電子書籍端末１０は、例えば、携帯端末、携帯電話、携帯情報端末に加え、スマートフォン、タブレット端末、ネットブック端末、スレート端末、電子書籍端末、携帯型音楽プレーヤ等の情報家電であってよいし、例えば、コンピュータに加えて、電子書籍が閲覧可能である冷蔵庫、オーディオ、スピーカ、洗濯機、ルータ、テレビ、プリンタ、複合機、ヒータ、エアコン、電話機、記録メディア録画再生装置等の一般電化製品を含む。これらの電子書籍端末１０は、ＴＣＰ／ＩＰ等のプロトコルでインターネット通信をする機能を備える。
【００２０】
電子書籍共有サーバ２００は、電子書籍コンテンツを電子書籍端末１０に送信して、閲覧可能にするサーバであって、後述の機能を備えるサーバである。電子書籍端末１０を使用するユーザが提供を受けるサービスを管理するサーバである。なお、電子書籍共有サーバ２００が実行する上述の各機能が物理的に別々の複数のサーバで実現されていてもよい。
【００２１】
［各機能の説明］
図２に基づいて、各装置の構成について説明する。
【００２２】
電子書籍端末１０は、電子書籍コンテンツを出力表示する端末であって、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部１２として、他の機器と通信可能にするためのデバイス、例えば、携帯通信網に接続して通信を実現するデバイスや、ＩＥＥＥ８０２．１１に準拠したＷｉＦｉ（Ｗｉｒｅｌｅｓｓ  Ｆｉｄｅｌｉｔｙ）対応デバイスを備える。
【００２３】
また、電子書籍端末１０は、入出力部１４として、制御部で制御したデータや画像を出力表示する表示部を備え、入出力部１４は、電子書籍共有サーバ２００から受信した電子書籍コンテンツやデータを出力表示し、ユーザから付加情報などの入力を受付ける。
【００２４】
電子書籍端末１０において、制御部１１が、所定のプログラムを読み込むことで、通信部１２と協働して、付加情報送信モジュール１７、タグ付けコンテンツ受信モジュール１８を実現する。また、電子書籍端末１０において、制御部１１が所定のプログラムを読み込むことで、入出力部１４と協働して、タグ付けコンテンツ出力モジュール１９、付加情報入力受付モジュール２０を実現する。
【００２５】
電子書籍端末１０において読み込まれるプログラムは、電子書籍端末１０にインストールされるアプリケーション・プログラムであってよい。アプリケーション・プログラムは、インストール時に、電子書籍端末１０を操作するユーザのユーザ識別子を登録する機能を有してよい。すなわち、電子書籍端末１０は、電子書籍共有サーバ２００から送信される電子書籍コンテンツやデータを受信するためのメールアドレスやショートメッセージアドレス、電話番号、製品ＩＤ、アプリケーションと関係付けられたＩＤ等を、適宜、ユーザからの入力を受付け、電子書籍共有サーバ２００に送信し、登録する。
【００２６】
電子書籍共有サーバ２００は、電子書籍端末１０と同様に、制御部２０１として、ＣＰＵ，ＲＡＭ，ＲＯＭ等を備え、通信部２０２として、例えば、ＩＥＥＥ８０２．１１に準拠したＷｉＦｉ対応デバイス又は、有線ケーブルによる接続可能とするデバイス等の、他のコンピュータとのデータ通信を実現するデバイスを備える。また、電子書籍共有サーバ２００は、データやファイル、データベーステーブルを記憶する記憶部２０３として、ハードディスクや半導体メモリ、記録媒体、メモリカード等によるデータのストレージ部を備える。
【００２７】
電子書籍共有サーバ２００において、制御部２０１が所定のプログラムを読み込むことで、通信部２０２と協働して、付加情報受付モジュール２０５、タグ付けコンテンツ送信モジュール２０６を実現する。また、電子書籍共有サーバ２００において、制御部２０１が所定のプログラムを読み込むことで、記憶部２０３と協働して、許可操作決定モジュール２０７、タグ付けコンテンツ記憶モジュール２０８を実現する。
【００２８】
なお、電子書籍コンテンツデータベース２１０とタグ付けコンテンツデータベース２１１は、外部のデータベースサーバであってよく、電子書籍コンテンツデータベース２１０には、オリジナルの電子書籍コンテンツが記憶され、タグ付けコンテンツデータベース２１１には、オリジナルの電子書籍コンテンツに付加される付加情報及び、その付加情報を対応付けるタグ情報が対応付けて記憶されている。
【００２９】
ここで、付加情報とは、所定の電子書籍端末１０から電子書籍コンテンツに対して入力された付加的に付与される情報であって、例えば、メモ書き、リンク情報、販売情報、解説情報、口コミ情報等であってよい。さらに、タグ付けコンテンツとは、オリジナルの電子書籍コンテンツに対して付加情報を付したコンテンツである。さらに、タグ付けとは、出力表示される電子書籍コンテンツのページの所定の位置に、付加情報を付加するための対応データの生成のことである。
【００３０】
［電子書籍共有処理］
図３は、電子書籍端末１０（ａ、ｂ）、電子書籍共有サーバ２００が実行する電子書籍共有処理のフローチャートである。上述した各装置のモジュールが行う処理について、本処理にて併せて説明する。ここでは、説明のために、電子書籍端末１０が、付加情報の送信側と閲覧側の２台の場合で説明するが、多数の電子書籍端末１０が電子書籍共有サーバ２００にアクセスすることを前提としている。
【００３１】
はじめに、電子書籍端末１０は、ユーザ識別子を電子書籍共有サーバ２００に送信する（ステップＳ０１、Ｓ０２）。例えば、電子書籍端末１０にインストールされたアプリケーションを実行することで、予め登録されたユーザ識別子を電子書籍共有サーバ２００に送信してもよいし、所定のＷＥＢページの出力要求を電子書籍共有サーバ２００にした際に、ユーザからの入力等に応じて、ユーザ識別子を送信してもよい。
【００３２】
電子書籍共有サーバ２００は、送信されたユーザ識別子を受信して、ユーザ認証処理を実行する（ステップＳ０３）。その後、図示しないが、電子書籍共有サーバ２００は、電子書籍コンテンツをダウンロード可能の状態として、電子書籍端末１０からの要求待ちとなる。
【００３３】
電子書籍端末１０ａは、ユーザからの操作に応じて電子書籍コンテンツを電子書籍共有サーバ２００に要求する（ステップＳ０４）。これに応じて、電子書籍共有サーバ２００は、要求された電子書籍コンテンツを電子書籍コンテンツデータベース２１０から検索し、電子書籍端末１０ａに送信する（ステップＳ０５）。そして、電子書籍端末１０ａは、電子書籍共有サーバ２００から送信された電子書籍コンテンツを受信し、入出力部１４が出力表示する（ステップＳ０６）。
【００３４】
次に、電子書籍端末１０から付加情報の入力を受付けるが、この際に、許可操作データに基づいて、ユーザ識別子毎に許可された操作を決定する。ここで、許可操作データとは、電子書籍コンテンツに付加情報を付加する際に許可される操作に関する制限を定めたデータであって、例えば、図４、図５に示すような許可操作テーブルである。許可操作データは、電子書籍コンテンツの権利者が予め定め、電子書籍共有サーバ２００に記憶されるデータである。
【００３５】
例えば、図４を参照すると、権利者ＩＤ５５０の電子書籍コンテンツ（XXX-XXX1）については、付加情報に対する許可操作として、コメント書き、文章のコピー、リンク付け、広告情報のリンク付け、販売情報のリンク付け、辞書情報のリンク付けのうち、コメント書きのみが権利者に許可されている。
【００３６】
ここで、コメント書きとは、電子書籍コンテンツが表示されるページ内に付箋のように添付されるメモ書き（つぶやき、コメント）を行う操作である。さらに、文章のコピーとは、電子書籍コンテンツの文章や画像等の一部又は全てを複写する操作である。また、リンク付けとは、メモ書き操作内に、リンクを埋め込む操作であって、リンク付けるコンテンツの内容により広告情報のリンク付け操作、販売情報のリンク付け操作、辞書情報のリンク付け操作となる。電子書籍コンテンツの権利者にとっては、リンク付けとして、辞書情報などは問題ないが、広告情報や販売情報のリンク付けは拒むケースも有るため、このようなコンテンツ毎の許可分けをしている。
【００３７】
これに対して、権利者ＩＤ５５１の電子書籍コンテンツ（XXX-XXX2）については、付加情報に対する許可操作として、コメント書き、文章のコピー、リンク付け（辞書情報のリンクのみ）が権利者に許可されている。
【００３８】
ステップＳ０７にて、許可操作決定モジュール２０７が許可操作データを参照して、電子書籍コンテンツに対して許可される付加情報の入力を受付けるためのインターフェースを電子書籍端末１０に送信し、電子書籍端末１０の付加情報入力受付モジュール２０が、ユーザからの許可された付加情報の入力を受付ける（ステップＳ０８）。
【００３９】
上述の例では、電子書籍コンテンツ（XXX-XXX1）であれば、電子書籍端末１０からの付加情報は、コメント書きのみを許可するため、コメント書きのみ入力を受付ける。一方、電子書籍コンテンツ（XXX-XXX2）であれば、電子書籍端末１０からの付加情報は、コメント書き、文章のコピー、リンク付け（辞書情報のリンクのみ）の入力を受付ける。
【００４０】
なお、許可操作は、図５に示すように、一の電子書籍コンテンツに対して、グループ毎に異なる操作が許可されていてよい。ここで、グループとは、複数のユーザ識別子を群とした集合体であって、例えば、グループＡは、過去に権利者から電子書籍を購入したことがないユーザ識別子の集合であって、グループＢは、過去に権利者から電子書籍を１冊購入したユーザ識別子の集合であって、グループＣは、過去に権利者から電子書籍を２冊以上購入したユーザ識別子の集合とする。この場合、グループＣには、許可操作が権利者（ID550）の判断のもと、コメント書き、コピー、リンク（全て）の操作が許可されるが、これに対して、グループＡ、Ｂは、広告リンク、販売リンクの操作が制限されている。
【００４１】
次に、電子書籍端末１０の付加情報送信モジュール１７は、入力された付加情報を電子書籍共有サーバ２００に送信する（ステップＳ０９）。電子書籍共有サーバ２００のタグ付けコンテンツ記憶モジュール２０８は、付加情報と、付加情報を付加する電子書籍コンテンツのページ位置とを対応付け（ステップＳ１０）、タグ付けコンテンツとしてタグ付けコンテンツデータベース２１１に記憶する（ステップＳ１１）。タグ付けコンテンツは、電子書籍データベースを含んでいてもよいし、別であってもよい。ここで、タグ付けコンテンツは、電子書籍端末１０にて閲覧可能に記憶される
【００４２】
電子書籍共有サーバ２００は、タグ付けコンテンツを図７に示すようなタグ付けコンテンツを販売するＷＥＢページである、ストア表示を行う（ステップＳ１２）。ストア表示とは、電子書籍コンテンツやアプリケーションのダウンロード要求に応じて、これらを販売するＷＥＢページであって、例えば、電子書籍共有サーバ２００は、電子書籍端末１０からの要求に応じて、要求されたタグ付けコンテンツを電子書籍端末１０に送信する。
【００４３】
図７の例では、電子書籍コンテンツ「ドラガー  今を生きる」に対して、付加情報を付したタグ付けコンテンツが、タグ付けをしたユーザ識別子毎（有名経営者ＸＸに対応するユーザ識別子ID522や、政治家ＺＺに対応するユーザ識別子ID463）に、当該タグ付けコンテンツの評価とともに、所定の電子書籍端末１０にダウンロード可能に表示出力される。この際に、これを閲覧したユーザが、購入ボタン３１を操作することで、操作した電子書籍端末１０にタグ付けコンテンツ（電子書籍コンテンツそのものを含む）がダウンロードされる。
【００４４】
次に、電子書籍端末１０ｂは、ストア表示された一のタグ付けコンテンツを要求し（ステップＳ１３）、これに応じて、電子書籍共有サーバ２００のタグ付けコンテンツ送信モジュール２０６は、要求されたタグ付けコンテンツを送信する（ステップＳ１４）。送信されたタグ付けコンテンツを、電子書籍端末１０のタグ付けコンテンツ受信モジュール１８が受信し、タグ付けコンテンツ出力モジュール１９が出力する。例えば、図８に示すように、付加情報として、電子書籍コンテンツに販売リンク３２（付加情報を付したユーザが入力したページ及び位置で）を出力する。ユーザが販売リンク３２で購入ボタンを押したことに応じて、電子書籍端末１０ｂは、所定の購入ページへとリンクアクセスする。
【００４５】
上述の例では、電子書籍端末１０ａから入力された付加情報を電子書籍端末１０ｂで閲覧する例で説明したが、図９に示すように、複数の電子書籍端末１０から入力された付加情報（ID211、ID322）をそれぞれ付加して、タグ付けコンテンツを生成し、所定の電子書籍端末１０にて閲覧可能であってもよい。この場合は、複数のユーザ（ユーザ識別子）で共有されたタグ付けコンテンツがダウンロード可能に記憶され、電子書籍端末１０ｂにて付加情報を出力表示させた際には、付加情報を入力したユーザ識別子を表示出力する。
【００４６】
なお、タグ付けコンテンツの販売にあっては、電子書籍コンテンツの権利者にも、２次利用の権利があるため、許可操作の確認時には、付加情報を付加するユーザにタグ付けコンテンツが販売される場合の販売額の配分について、図６等の２次利用の許可操作テーブルに基づいて、決定する。例えば、ID550の電子書籍コンテンツ（XXX-XXX1）に付加情報を付したタグ付けコンテンツを販売する場合は、販売額の９０％をID550に支払って、１０％が付加情報を付したユーザに付与する。本処理は、ストア表示（ステップＳ１２）の結果、所定のユーザがタグ付けコンテンツを購入した際に、ユーザ識別子に基づいて、配分後の課金が行われる。
【００４７】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００４８】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００４９】
１  電子書籍共有システム  １０ａ，ｂ  電子書籍端末、２００  電子書籍共有サーバ
【図１】
0006410573.tif 000002
【図２】
0006410573.tif 000003
【図３】
0006410573.tif 000004
【図４】
0006410573.tif 000005
【図５】
0006410573.tif 000006
【図６】
0006410573.tif 000007
【図７】
0006410573.tif 000008
【図８】
0006410573.tif 000009
【図９】
0006410573.tif 000010